(57)【要約】【課題】外出先で、地図などの高精細な画像データの参照を可能とする。【解決手段】ビジネスモデル特許。構成要素は、携帯電話等の情報端末所有者、携帯情報端末からアクセス可能なネットワーク上の情報提供者、情報加工者から成り、情報端末所有者が情報提供者に請求した情報と対応する情報識別番号が、情報提供者で発生した後、情報端末所有者、情報加工者へと伝わり、情報加工者の識別番号が付加されて情報提供者に戻ることで、請求した情報が情報提供者、情報加工者へと渡り、情報が加工物が情報端末所有者へ提供される。【選択図】        図１
2004334496.tif 000002
【特許請求の範囲】
【請求項１】
情報端末装置と、
情報提供手段と、
情報加工手段とを
有する情報供給システムであり、
情報端末装置は、
情報提供手段に情報を請求する手段と、
”請求した情報”及び”情報加工手段の情報”を情報提供手段から取得し、表示する手段と、
情報提供手段から識別情報を取得する手段と、
識別情報を情報加工手段に提示する手段と
を有し、
情報提供手段は、
情報端末装置から請求された情報を情報端末装置に提供する手段と、
「”情報端末装置から請求された情報の加工”を実効する情報加工手段の情報」を情報端末装置に提供する手段と、
情報端末装置から請求された情報の識別情報を発生し、
識別情報ごとに提供する情報を登録し、識別情報を情報端末装置に提供する手段と、
情報加工手段から識別情報を取得し、識別情報ごとに提供する情報を検索し、情報加工手段に提供する手段と
を有し、
情報加工手段は、
情報端末装置から識別情報を取得し、取得した識別情報を情報提供手段に提示する手段と、
情報加工手段固有の識別情報を情報提供手段に提示する手段と、
情報提供手段から”情報提供手段が登録している識別情報ごとに提供する情報”を取得し、加工する手段と、
を有する
ことを特徴とする情報供給システム。
【請求項２】
情報端末装置が、情報端末装置の位置情報を情報提供手段に提示する手段を有し、
情報提供手段が提供する情報加工手段の情報は、情報加工手段の地理情報を含み、
情報提供手段が提供する情報は、地図情報を含み、
情報加工手段は、印刷が可能である
ことを特徴とする請求項１記載の情報供給システム。
【発明の詳細な説明】
【０００１】
【発明の属する技術分野】
本発明は、情報端末装置を用いた情報供給システムに関する。
【０００２】
【従来の技術】
従来、外出先で、地図を確認する方法としてナビゲーション装置やノートパソコンがある。
【０００３】
ナビゲーション装置は、車載用として普及しているが、一定の大きさの表示範囲を確保するため大きく、重く、持ち運びには適していない。同様の理由でノートパソコンの持ち運びは敬遠されている。
【０００４】
これらの方法に拠らず、行き先の地図を見るためには、近傍の地図販売店に行くか、携帯情報端末で確認するしかなかったが、地図販売店が近くに無かったり場所が分からない場合は携帯情報端末による確認手段が唯一の手段であった。
しかし、携帯電話などの小型携帯情報端末による表示は、表示範囲が狭く使い難かった。
【０００５】
このため、携帯電話などの小型携帯情報端末に表示された地図を印刷する用途として携帯プリンタがあるが、携帯プリンタは印字範囲が狭く使いにくいか、携帯電話などの小型携帯情報端末に比べて大きく携帯性が低く、不便であった。
【０００６】
一方、印刷先を選択し依頼するサービスとして、公開Ｎｏ．２０００−０６７１２１がある。
【０００７】
このサービスは、画像データを有する人に画像データを記録・印刷するサービスである。
【０００８】
このサービスでは、所望の画像データを取得した後、画像データの記録・印刷を支援するシステムに対して送信する必要があった。
【０００９】
従って、ネットワーク上にある所望の画像データを記録・印刷するためには、一度、自らが画像データを取得した後、それを送信する必要があり、効率が悪かった。また、外出先では、携帯情報端末のメモリ容量が十分でなく、画像データを取得することができず、画像データの記録・印刷ができない場合があった。
【００１０】
一方、ネットワーク上のコンテンツを取り扱うシステムとして、公開Ｎｏ．２００１−１２５９８２がある。
【００１１】
このシステムは、インターネットに接続された情報提供事業者、及びマーケティング事業者により提供されるプリントサービスの内容を携帯端末に表示させ、携帯端末からプリントサービスの要求内容を受け付けて、その印刷予約確認用のワンタイムパスワードを発行する等のプリントサービスに係るポータルサイト機能と、印刷予約された当該利用者のプリントサービス要求内容によりコンテンツと印刷指定内容などをプリントステーションに配信するコンテンツ配信機能を有する。
【００１２】
しかしながら、このシステムを匿名で利用する場合、コンテンツを提供するサーバーが発行するユーザー識別番号は、利用者と印刷手段に送られ、同じユーザー識別番号を持つ匿名利用者の操作により、印刷手段がユーザー識別番号をサーバーに送り返すことで印刷コンテンツの情報をサーバーから受け取るため、サーバーから複数の印刷手段に送られるユーザー識別番号がネットワークトラフィックの負荷の原因となっていた。
【００１３】
また、このシステムでは、サーバー提供者は広告をコンテンツに付加して広告主から広告代金を徴収する。
【００１４】
しかしながら、サーバー提供者が付加する広告は、匿名利用者が望まないような広告効果が無い場合が多く、ネットワークトラフィックの負荷の原因となるものである。
【００１５】
【発明が解決しようとする課題】
本発明の第一の課題は、情報端末装置を用いて、匿名で利用が可能なネットワークトラフィックの負荷の低い情報供給システムを提供することにある。
【００１６】
本発明の第ニの課題は、匿名利用者に高い広告効果のある広告を提供することにある。
【００１７】
本発明の第三の課題は、外出先等の限られた状況下で便利な印刷手段を提供することにある。
【００１８】
【課題を解決するための手段】
（１）上記課題を解決するため、第一の本発明は、情報端末装置と、情報提供手段と、情報加工手段とを有し、情報端末装置は、情報提供手段に情報を請求する手段と、”請求した情報”及び”情報加工手段の情報”を情報提供手段から取得し、表示する手段と、情報提供手段から識別情報を取得する手段と、識別情報を情報加工手段に提示する手段とを有し、情報提供手段は、情報端末装置から請求された情報を情報端末装置に提供する手段と、「”情報端末装置から請求された情報の加工”を実効する情報加工手段の情報」を情報端末装置に提供する手段と、情報端末装置から請求された情報の識別情報を発生し、識別情報ごとに提供する情報を登録し、識別情報を情報端末装置に提供する手段と、情報加工手段から識別情報を取得し、識別情報ごとに提供する情報を検索し、情報加工手段に提供する手段とを有し、情報加工手段は、情報端末装置から識別情報を取得し、取得した識別情報を情報提供手段に提示する手段と、情報加工手段固有の識別情報を情報提供手段に提示する手段と、情報提供手段から”情報提供手段が登録している識別情報ごとに提供する情報”を取得し、加工する手段と、を有する。
【００１９】
第一の本発明の作用を説明する。
【００２０】
情報端末装置は、
１）情報提供手段に情報を請求する手段を用いて情報提供手段に情報を請求し、
２）”請求した情報”及び”情報加工手段の情報”を情報提供手段から取得し、表示する手段を用いて、情報提供手段から取得した”請求した情報”及び”情報加工手段の情報”を表示し、
３）情報提供手段から識別情報を取得する手段を用いて、情報提供手段から識別情報を取得し、
４）識別情報を情報加工手段に提示する手段を用いて情報提供手段から取得した識別情報を情報加工手段に提示する。
【００２１】
情報提供手段は、
１）情報端末装置から請求された情報を情報端末装置に提供する手段を用いて、情報端末装置から請求された情報を情報端末装置に提供し、
２）「”情報端末装置から請求された情報の加工”を実効する情報加工手段の情報」を情報端末装置に提供する手段を用いて、「”情報端末装置から請求された情報の加工”を実効する情報加工手段の情報」を情報端末装置に提供し、
３）情報端末装置から請求された情報の識別情報を発生し、識別情報ごとに提供する情報を登録し、識別情報を情報端末装置に提供する手段を用いて、情報端末装置から請求された情報の識別情報を発生し、識別情報ごとに提供する情報を登録し、識別情報を情報端末装置に提供し、
４）情報加工手段から識別情報を取得し、識別情報ごとに提供する情報を検索し、情報加工手段に提供する手段を用いて、情報加工手段から識別情報を取得し、識別情報ごとに提供する情報を検索し、情報加工手段から取得した識別情報と登録された識別情報とが一致した場合に、識別情報ごとに提供する情報を情報加工手段に提供し、情報加工手段は、
１）情報端末装置から識別情報を取得し、取得した識別情報を情報提供手段に提示する手段を用いて、情報端末装置から識別情報を取得し、取得した識別情報を情報提供手段に提示し、
２）情報加工手段固有の識別情報を情報提供手段に提示する手段を用いて、情報加工手段固有の識別情報を情報提供手段に提示し、
３）情報提供手段から”情報提供手段が登録している識別情報ごとに提供する情報”を取得し、加工する手段を用いて、情報提供手段から”情報提供手段が登録している識別情報ごとに提供する情報”を取得し、加工する。
【００２２】
言い換えると次のようになる。
【００２３】
１）情報端末装置使用者が、情報提供手段に情報を請求する手段を用いて、情報提供手段に必要な情報を請求すると、
２）情報提供手段は、情報端末装置から請求された情報Ａ、”情報端末装置から請求された情報の加工”を実効する情報加工手段の情報Ｂ、及びこれらの識別情報Ｃを情報端末装置に提供するとともに、情報提供手段内に情報Ａ、Ｂ、Ｃを登録する。
【００２４】
３）情報端末装置使用者は、情報端末装置が得た情報Ａ、Ｂを確認し、必要に応じて、情報Ｂが示す情報加工手段に対して、識別情報Ｃを提示する。
【００２５】
４）情報加工手段は、情報端末装置から識別情報Ｃを取得すると、この識別情報Ｃと情報加工手段固有の識別情報Ｄを情報提供手段に提示する。
【００２６】
５）情報提供手段は、情報加工手段から識別情報Ｃと識別情報Ｄを取得すると、情報加工手段に提供するために識別情報ごとに登録されている情報群Ｘを検索し、識別情報Ｃが登録された識別情報と一致した場合に、情報加工手段に提供するために識別情報ごとに登録されている情報Ｘの識別情報Ｃに対応する情報Ａとその加工情報Ｅを情報加工手段に提供する。
【００２７】
６）情報加工手段は、加工情報Ｅに基づいて情報Ａを加工する。
【００２８】
このため、識別情報Ｃは、
（１）情報提供手段から情報端末装置へ提供され、
（２）情報端末装置から情報加工手段へ提供され、
（３）情報加工手段から情報提供手段へ提供され、
匿名利用者に対して、無駄なく特定の情報に対する特定の加工を提供できる。
【００２９】
ここで、情報提供手段は、識別情報Ｄを用いて、提供した情報Ａを加工する情報加工手段との間の決済が可能となる。
【００３０】
（２）上記課題を解決するため、第ニの本発明の手段は、第一の本発明の情報端末装置が、情報端末装置の位置情報を情報提供手段に提示し、第一の本発明の情報提供手段が提示する情報に、情報加工手段の地理情報を含み、第一の本発明の情報提供手段で、地図情報を含む情報を提供し、第一の本発明の情報加工手段で、印刷を可能とする。
【００３１】
第ニの本発明の作用を説明する。
【００３２】
第一の本発明の情報端末装置が、情報端末装置の位置情報を情報提供手段に提示し、情報端末装置使用者が、現在位置情報を情報提供手段に提示し、第一の本発明の情報提供手段が提示する情報に、情報加工手段の地理情報を含めることで、情報端末装置使用者の現在位置情報を元に最も便利な情報加工手段の所在情報を提示可能となり、第一の本発明の情報提供手段で、地図情報を含む情報を提供し、第一の本発明の情報加工手段で、印刷が可能であり、外出先等の限られた状況下で便利な印刷手段を提供することが可能となる。
【００３３】
情報提供手段が要求された地図情報を目標地点と見立てて、情報端末装置使用者の現在位置情報との差分から情報端末装置使用者の移動経路を予測し、要求された地図情報に移動経路上の目印となる各情報加工手段の所在地情報を含めた印刷物を提供可能な情報加工手段で、情報端末装置使用者の現在位置情報から、最も近い情報加工手段の所在情報を提示し、情報加工手段で、印刷が可能なため、外出先等の限られた状況下で便利な印刷手段を提供することが可能となる。
【００３４】
さらに、情報提供手段は、要求された地図情報が遠隔地であっても近隣地であっても、印刷物として提供する地図の範囲を適切に選択し、目標地点までに至る途中経路の各目印として、本来は商業施設である情報加工手段の所在地情報を提示し、情報端末装置使用者は目標地点に近づきながら、必要な都度、地図の範囲を縮小した（縮尺を拡大した）印刷物をこれらの情報加工手段で印刷して移動することの繰り返しが可能となり、匿名利用者に対して、高い広告効果のある広告を提供することが可能となる。
【００３５】
また、情報加工手段で印刷をしない場合でも、各目印として通過する時に、移動中の所用を満たすために入店する機会を拡大する効果が期待できるため、匿名利用者に対して、高い広告効果のある広告を提供することが可能となる。
【００３６】
即ち、情報Ｂが示す加工手段の情報は、識別情報Ｄの加工手段と一致しなくても、匿名利用者に対して、高い広告効果のある広告を提供することが可能となる。
【００３７】
【発明の実施の形態】
図１は、本発明の第一の実施例のカタログ印刷システムの概要を示す図である。
本発明は、新製品の外販セールスマンが、外出先で、持ち合わせ無いカタログを速やかに入手するために用意されたカタログ提供サービスを示す。
【００３８】
図１に基づいて説明する。
【００３９】
情報提供事業者は、インターネットウェブサーバーを介してプリンタ等の新製品の概観・仕様に関する情報を不特定多数に対して提供し、登録済みの情報加工サービス事業者に対してプリンタ等の新製品のカタログの印刷用データを提供する事業者である。
【００４０】
登録済みの情報加工サービス事業者を特定するため、インターネットウェブサーバーには、個々の情報加工サービス事業者の識別番号が登録されている。
【００４１】
情報利用者の外販セールスマンが、手持ちの携帯電話から、情報提供事業者の第一のホームページにアクセスして、表示されたフォームに要求する新製品の型番を１個か複数記入して、再度アクセスすると、型番に対応する新製品の概観と仕様データ、これらのデータ用識別番号、情報加工サービス事業者に関するデータが複数表示される。この時、ウェブサーバー内では、データ用識別番号と、請求された新製品の型番との対応表が記憶される。
【００４２】
情報利用者の外販セールスマンは、情報加工サービス事業者に関するデータから最も便利な情報加工サービス事業者を選択して利用可能である。
【００４３】
情報加工サービス事業者は、印刷装置を有し、同装置を用いて新製品の概観・仕様データを印刷し、カタログとして提供する事業者である。
【００４４】
情報加工サービス事業者の印刷装置の制御用コンピュータは、パソコン通信ネットワークのホスト局を運用し、情報提供事業者のインターネットウェブサーバーにアクセス可能に構成されている。
【００４５】
パソコン通信ネットワークのホスト局のコンピュータは、接続されたディスプレイで、ホスト局アクセス用ゲストユーザ名を常に表示し、公衆回線からゲストユーザ名でアクセス可能であり、そのゲストユーザ名でアクセスが発生する都度、使用されたゲストユーザ名でのアクセスを無効とし、新しいゲストユーザ名を表示する。
【００４６】
情報利用者の外販セールスマンは、情報提供事業者のホームページで得た情報加工サービス事業者に関するデータから最も便利な情報加工サービス事業者を選択し、その所在地で携帯電話を通してこのゲストユーザ名でパソコン通信ネットワークのホスト局にアクセスを行う。
【００４７】
情報加工サービス事業者の印刷装置の制御用コンピュータは、電話回線を通して、パソコン通信ネットワークのホスト局にゲストユーザ名でのアクセスがあると、上記データ用識別番号の入力を受け付け、情報提供事業者のインターネットウェブサーバーのホームページにアクセスし、そのデータ用識別番号と情報加工サービス事業者の識別番号を表示されたフォームに記入して再度アクセスする。
【００４８】
情報提供事業者のインターネットウェブサーバーは、情報加工サービス事業者の識別番号が登録済みの情報加工サービス事業者のものと一致するかどうかを確認し、一致しなければ無視し、一致すれば、データ用識別番号に対応する新製品の概観・仕様に関する印刷用データを表示する。
【００４９】
一致したときは、インターネットウェブサーバー内に情報加工サービス事業者の識別番号ごとの印刷用データの提供記録が作成され、印刷用データの提供記録は各月ごとに情報提供事業者から情報加工サービス事業者への請求書の作成に利用される。
【００５０】
印刷用データは、情報加工サービス事業者のパソコン通信ネットワークのホストコンピュータで獲得され、印刷装置で印刷される。
印刷物は、情報利用者の外販セールスマンが支払い決済を済ますことで情報加工サービス事業者より手渡される。
【００５１】
このように、情報利用者の外販セールスマンは、外出先から携帯電話で、情報提供事業者のインターネットウェブサーバーにアクセスし、新製品の情報を確認することができ、必要なときにだけ印刷サービスを便利な場所で受けることができる。営業上の秘密事項である顧客情報を非開示のまま、匿名印刷が可能であり、さらに、インターネット上での冗長なデータの送受信が発生しないため、ネットワークトラフィックへの負荷が軽い。
【００５２】
上記システムで、情報加工サービス事業者の印刷装置の制御用コンピュータは、赤外線通信またはブルートュース通信により、パソコン通信ネットワークのホスト局にゲストユーザ名でのアクセスを受け付けるようにしてもよい。
【００５３】
パソコン通信ネットワークのホスト局のコンピュータは、アクセス希望者からの定額の支払いを受け付けたときだけ、接続されたディスプレイで、ホスト局アクセス用ゲストユーザ名を表示し、そのゲストユーザ名でアクセスが発生する都度、使用されたゲストユーザ名でのアクセスを無効としてもよい。
【００５４】
図２は、本発明の第ニの実施例のナビゲーションシステムの概要を示す図である。
【００５５】
本実施例では、情報提供事業者は地図情報提供会社で、運用するインターネットサーバーが提供する情報は地図情報であり、情報加工サービス事業者は、印刷装置を設置したコンビニエンスストア通称コンビニである。
【００５６】
携帯電話利用者は、情報提供事業者のインターネットサーバーのホームページにアクセスして、ホームページの場所選択機能を用いて現在地を情報提供事業者に知らせ、さらに特定の場所の地図情報を請求し、引き換えに、携帯電話で表示可能な簡略な内容の地図データ、コンビニ情報、請求した場所を印刷するための印刷データ識別番号を受け取る。
【００５７】
このコンビニ情報は、携帯電話利用者の現在地と請求された特定の場所の地図情報から、携帯電話利用者の現在地に最も近いコンビニや両地点間の経路上のコンビニの所在地を提供する。
【００５８】
携帯電話利用者はコンビニに来店し、印刷サービス料を支払うことで、印刷装置の操作を可能とするパスワードを受け取る。
【００５９】
印刷装置は公衆電話回線とつながり、音声応答システムの指示に従い、プッシュホンボタンで印刷データ識別番号とパスワードを受け付けると、地図情報提供会社のインターネットサーバーにアクセスし、印刷データ識別番号とコンビニ情報と交換で印刷データを受信し、印刷するように構成されている。
【００６０】
なお、携帯電話利用者の現在地と、請求された特定の場所の地図情報から、地図情報提供会社は、両地点を含む縮尺で地図情報を提供し、情報利用者の現在地に最も近いコンビニや両地点間の経路上のコンビニを付加して印刷データを提供する。
【００６１】
このように、携帯電話利用者が印刷データから経路上の目標地の一つとしてコンビニを考慮しながら移動し、必要なときにコンビニを利用してその時に適切な縮尺の地図を印刷して利用できるナビゲーションシステムとして構成されている。
【００６２】
本実施例では、情報利用者の現在地の近くや行き先途中にあるコンビニを、情報加工サービス事業者及び経路上の目標物として表示するが、情報利用者は、表示されたコンビニを情報加工サービス事業者として印刷サービスを受ける目的以外で、地理的位置の利便性から来店する広告効果が期待できる。即ち、不特定多数のアクセスを情報提供事業者は受け入れながら、顧客層が匿名利用者のまま、コンビニ顧客へと誘導することが高い確率で期待できる。
【００６３】
本実施例で、現在地を情報提供事業者のインターネットサーバーに知らせるために、ＰＨＳ電話機の位置情報を利用してもよい。
【００６４】
図３は、本発明の第三の実施例のカタログ印刷システムの概要を示す図である。
第一の実施例との違いは、情報加工サービス事業者と情報提供事業者の間に中間事業者が介在し、中間事業者は情報加工サービス事業者からは情報提供事業者として機能し、情報提供事業者からは情報加工サービス事業者として機能し、
本システムでは、情報提供事業者が提供した新製品情報の中で、メーカーが登用したコマーシャルタレントの画像は、中間事業者によって、地域販売会社が登用した地域密着型コマーシャルタレントの画像に変更されることである。
【００６５】
【発明の効果】
本発明によれば、情報端末装置を用いて、匿名で利用が可能なネットワークトラフィックの負荷の低い情報供給システムを提供でき、匿名利用者に高い広告効果のある広告を提供でき、外出先等の限られた状況下で便利な印刷手段を提供できる。
【図面の簡単な説明】
【図１】図１は、本発明の第一の実施例のカタログ印刷システムの概要を示す図である。
【図２】図２は、本発明の第ニの実施例のナビゲーションシステムの概要を示す図である。
【図３】図３は、本発明の第三の実施例のカタログ印刷システムの概要を示す図である。
【図１】
2004334496.tif 000003
【図２】
2004334496.tif 000004
【図３】
2004334496.tif 000005